(57)【要約】【課題】取り扱いが容易であり、配線が接続されたコンピュータ機器を装着できるスタンドとして組み立て可能な梱包緩衝材を実現する。【解決手段】梱包緩衝材（１０）は、表示器（１００）の本体部（１０２）を嵌め込んで保持する第１保持部（２１〜２４）が一方の面に設けられた本体保持面部（２）と、表示器（１００）の前面部（１０１）を保持する前面保持面部（４）と、本体保持面部（２）と前面保持面部（４）との間の底面部（３）とを備える。本体保持面部（２）と、前面保持面部（４）と、底面部（３）とは、連続し、かつ隣接するもの同士の境界部分で折り曲げ可能となる。保持部（２１〜２４）は、本体部（１０２）の一部を本体保持面部（２）の端縁に開放するように設けられている。【選択図】図１
2018008732.tif 000002
【特許請求の範囲】
【請求項１】
表示面を有する前面部と、当該前面部の背後に設けられた本体部とを有するコンピュータ機器を梱包する梱包緩衝材であって、
前記本体部を保持する保持部が一方の面に設けられている本体保持面部と、
前記前面部を保持する前面保持面部と、
前記本体保持面部と前記前面保持面部との間に設けられた中間面部とを備え、
前記本体保持面部と、前記前面保持面部と、前記中間面部とは、連続し、かつ隣接するもの同士の境界部分で折り曲げ可能となるように形成され、
前記保持部は、前記本体部の一部を前記本体保持面部の端縁に開放するように設けられていることを特徴とする梱包緩衝材。
【請求項２】
前記本体保持面部は、折り曲げ可能に切り抜かれた第１切り抜き板を有し、
前記前面保持面部は、折り曲げ可能に切り抜かれた第２切り抜き板を有しており、
前記前面保持面部は、前記中間面部を底面とし、前記本体保持面部において前記本体部を保持する第１保持面と、前記前面保持面部において前記前面部を保持する第２保持面とが離反すると共に、前記本体保持面部の端縁が前記前面保持面部における第２保持面と反対側の面に接触した状態、かつ前記第１切り抜き板が前記前面保持面部の側に折り曲げられると共に、前記第２切り抜き板が前記本体保持面部の側に折り曲げられた状態で、前記第１切り抜き板が接続される接続構造を有していることを特徴とする請求項１に記載の梱包緩衝材。
【請求項３】
前記前面保持面部は、前記中間面部との境界部分に沿う位置に前記前面部に当接するように突出する突出部を有していることを特徴とする請求項１または２に記載の梱包緩衝材。
【請求項４】
前記第１切り抜き板の一部は、前記中間面部を底面とし、前記本体保持面部の前記本体部を保持する第１保持面と、前記前面保持面部の前記前面部を保持する第２保持面とが離反すると共に、前記本体保持面部の端縁が前記前面保持面部における第２保持面と反対側の面に接触した状態、かつ前記第１切り抜き板が折り曲げられた状態で、前記前面保持面部を貫通し、かつ前記中間面部と前記前面保持面部との境界から前記第２保持面側に突出していることを特徴とする請求項２に記載の梱包緩衝材。
【請求項５】
前記中間面部を底面とし、前記本体保持面部の前記本体部を保持する第１保持面と、前記前面保持面部の前記前面部を保持する第２保持面とが離反すると共に、前記本体保持面部の端縁が前記前面保持面部における第２保持面と反対側の面に接触した状態で、前記中間面部と前記前面保持面部とのなす角が直角以下であり、かつ前記中間面部と前記本体保持面部とのなす角よりも大きいことを特徴とする請求項３または４に記載の梱包緩衝材。
【請求項６】
前記本体保持面部に隣接して設けられ、前記中間面部と同じ形状、かつ同じ大きさを有する第１面部と、
前記前面保持面部に隣接して設けられ、前記中間面部と同じ形状、かつ同じ大きさを有する第２面部とをさらに備え、
前記第１面部は、前記本体保持面部との境界部分で折り曲げ可能となるように形成され、
前記第２面部は、前記前面保持面部との境界部分で折り曲げ可能となるように形成され、
第１面部および第２面部のいずれか一方に持ち手が設けられ、他方に前記持ち手を通す開口部が設けられていることを特徴とする請求項１から４のいずれか１項に記載の梱包緩衝材。
【発明の詳細な説明】
【技術分野】
【０００１】
本発明はコンピュータ機器を梱包する梱包緩衝材に関するものである。
【背景技術】
【０００２】
表示装置を備えるとともに、パネルに嵌め込まれた状態で設置されるコンピュータ機器は、表示装置を含む本体部と、表示装置の表示面の周囲に設けられてパネルにあてがわれる額縁部とを有している。従来、このようなコンピュータ機器を製品として梱包するための緩衝材は、例えば、特許文献１に記載されているように、コンピュータ機器としての表示器を天面の緩衝材および底面の緩衝材で挟み込むような構成や、その他、天面の緩衝材と底面の緩衝材との間にさらに緩衝材を設ける構成が一般的である。
【０００３】
また、上記の表示器は、パネルに嵌め込む前にソフトウェアがインストールされたり、所定の調整が行なわれたりする必要がある。表示器が自立できない構造であるため、インストールの作業は、通常、表示器をスタンドに装着した状態で行われる。このようなスタンドは、インストール作業後には不要となるものの、インストール作業には必要であるため、別途用意しなければならない。これに対し、特許文献１には、天面の緩衝材（上部緩衝材）を台形状に組み立てて、開口部に表示器を嵌め込むことによって、当該緩衝材をスタンドとして利用できることが開示されている。これにより、スタンドを安価に提供することが可能になる。
【先行技術文献】
【特許文献】
【０００４】
【特許文献１】特開２００６−１４３２４３号公報（２００６年６月８日公開）
【発明の概要】
【発明が解決しようとする課題】
【０００５】
特許文献１に開示されている緩衝材は、スタンドとして利用可能であるものの、異なる形状の２つの緩衝材から構成されている。このため、それぞれの緩衝材を別の工程で作製する必要があり、コストが嵩むという問題がある。このような問題は、緩衝材の数が増加するほど顕著になる。
【０００６】
また、このような２つの緩衝材を用いるため、開梱時に外装箱を開いた後、天面側の緩衝材を外してから表示器を取り出す必要がある。また、外装箱を折りたたむとき、底面側の緩衝材を外装箱内から取り除かなければならない。このため、２つの緩衝材を用いると、緩衝材の取り扱いが煩わしくなるという問題がある。このような問題も、緩衝材の数が増加するほど顕著になる。
【０００７】
さらに、上記の２つの緩衝材のうちのスタンドとして利用できる緩衝材には、表示器を嵌め込んで保持する開口部が設けられている。このため、表示器にソフトウェアをインストールしたり、表示器を調整したりするとき、開口部に表示器を嵌め込んだ後に表示器と他の機器との接続用の配線を表示器の裏側に接続したり、予め開口部に通した配線を表示器の裏側に接続した後に開口部に表示器を嵌め込んだりしなければならないため、作業性が悪くなるという問題がある。
【０００８】
本発明は、前記の問題点に鑑みてなされたものであり、その目的は、取り扱いが容易であり、配線が接続されている状態のコンピュータ機器を設置できるスタンドとして組み立てることが可能な梱包緩衝材を実現することにある。
【課題を解決するための手段】
【０００９】
上記の課題を解決するために、本発明の梱包緩衝材は、表示面を有する前面部と、当該前面部の背後に設けられた本体部とを有するコンピュータ機器を梱包する梱包緩衝材であって、前記本体部を保持する保持部が一方の面に設けられた本体保持面部と、前記前面部を保持する前面保持面部と、前記本体保持面部と前記前面保持面部との間に設けられた中間面部とを備え、前記本体保持面部と、前記前面保持面部と、前記中間面部とは、連続し、かつ隣接するもの同士の境界部分で折り曲げ可能となるように形成され、前記保持部は、前記本体部の一部を前記本体保持面部の端縁に開放するように設けられている。
【００１０】
上記の構成によれば、梱包時には、本体保持面部の保持部がコンピュータ機器の本体部を保持した状態で、前面保持面部がコンピュータ機器の前面部を保持するように、本体保持面部と中間面部との境界部分を折り曲げ、前面保持面部と中間面部との境界部分を折り曲げると、コンピュータ機器として保護すべき前面部および本体部が梱包緩衝材に囲まれた保持された状態となる。また、梱包緩衝材は、本体保持面部と、前面保持面部と、中間面部とが連続した単一の構造であるため、従来のように複数の梱包緩衝材を使用する場合と比べて、コンピュータ機器の梱包および開梱の作業を容易にすることができるだけでなく、梱包緩衝材を処分する際の取り扱いも容易にすることができる。
【００１１】
また、中間面部を底面とし、本体保持面部の保持部が設けられた面（第１保持面）と、前面保持面部の表示面を保持する面（第２保持面）とが離反するように、本体保持面部と中間面部との境界部分を折り曲げ、前面保持面部と中間面部との境界部分を折り曲げる。また、本体保持面部の端縁を前面保持面部における第２保持面と反対側の面に接触させる。このようにして形成されたスタンドには、梱包時と同様に、本体保持面部の保持部に本体部を嵌め込むことにより、コンピュータ機器が装着される。そして、スタンドに装着された状態でコンピュータ機器へのソフトウェアのインストール作業や、コンピュータ機器の調整作業が行われる。
【００１２】
ここで、保持部は、本体部の一部を本体保持面部の端縁に開放するように設けられている。これにより、上記の本体部の一部が開放された領域に、インストール作業や調整作業のために他の機器と接続する配線を配置することができる。それゆえ、コンピュータ機器（本体部）に上記の配線が接続された状態で、コンピュータ機器をスタンドに装着することができる。
【００１３】
前記梱包緩衝材において、前記本体保持面部は、折り曲げ可能に切り抜かれた第１切り抜き板を有し、前記前面保持面部は、折り曲げ可能に切り抜かれた第２切り抜き板を有しており、前記前面保持面部は、前記中間面部を底面とし、前記本体保持面部において前記本体部を保持する第１保持面と、前記前面保持面部において前記前面部を保持する第２保持面とが離反すると共に、前記本体保持面部の端縁が前記前面保持面部における第２保持面と反対側の面に接触した状態、かつ前記第１切り抜き板が前記前面保持面部の側に折り曲げられると共に、前記第２切り抜き板が前記本体保持面部の側に折り曲げられた状態で、前記第１切り抜き板が接続される接続構造を有していてもよい。
【００１４】
上記の構成によれば、中間面部を底面とし、本体保持面部の第１保持面と、前面保持面部の第２保持面とが離反すると共に、本体保持面部の端縁が前面保持面部における第２保持面と反対側の面に接触した状態でスタンドが形成される。スタンドにおいては、第１切り抜き板と第２切り抜き板とが折り曲げられた状態で、第１切り抜き板を前面保持面部の接続構造に接続することができる。したがって、スタンドの強度を高めることができる。
【００１５】
前記梱包緩衝材において、前記前面保持面部は、前記中間面部との境界部分に沿う位置に前記前面部に当接するように突出する突出部を有していてもよい。
【００１６】
上記の構成によれば、突出部は、コンピュータ機器の前面部に当接することから、梱包時にコンピュータ機器を保護する機能を有する。また、突出部は、梱包緩衝材がスタンドとして利用されるときに、底面となる中間面部よりスタンドの後方側に、前面保持面部から突出することにより、スタンドを後方で支持することができる。
【００１７】
前記梱包緩衝材において、前記第１切り抜き板の一部は、前記中間面部を底面とし、前記本体保持面部の前記本体部を保持する第１保持面と、前記前面保持面部の前記前面部を保持する第２保持面とが離反すると共に、前記本体保持面部の端縁が前記前面保持面部における第２保持面と反対側の面に接触した状態、かつ前記第１切り抜き板が折り曲げられた状態で、前記前面保持面部を貫通し、かつ前記中間面部と前記前面保持面部との境界から前記第２保持面側に突出していてもよい。
【００１８】
上記の構成によれば、中間面部を底面とし、本体保持面部の第１保持面と、前面保持面部の第２保持面とが離反すると共に、本体保持面部の端縁が前面保持面部における第２保持面と反対側の面に接触した状態でスタンドが形成される。スタンドにおいては、本体保持面部の第１保持面にコンピュータ機器の本体部が保持され、前面保持面部が後方で本体保持面部を支持する。しかしながら、中間面部と前面保持面部とのなす角が鈍角であるなどの理由によってスタンドの後ろ側に重心が位置している場合、前面保持面部が後方で本体保持面部を十分支持できないことがある。これに対し、第１切り抜き板の一部が、折り曲げられた状態で、前記前面保持面部を貫通し、かつ前記中間面部と前記前面保持面部との境界から前記第２保持面側に突出している。これにより、第１切り抜き板を中間面部と共にスタンドが設置される面に接触させることができる。第１切り抜き板によって後方でスタンドを支持することができる。したがって、スタンドを安定して自立させることができる。
【００１９】
前記梱包緩衝材において、前記中間面部を底面とし、前記本体保持面部の前記本体部を保持する第１保持面と、前記前面保持面部の前記前面部を保持する第２保持面とが離反すると共に、前記本体保持面部の端縁が前記前面保持面部における第２保持面と反対側の面に接触した状態で、前記中間面部と前記前面保持面部とのなす角が直角以下であり、かつ前記中間面部と前記本体保持面部とのなす角よりも大きくてもよい。
【００２０】
中間面部と前面保持面部とのなす角が鈍角の場合は、スタンドの重心が底面（中間面部）に対して背面寄りに位置する。これに対し、上記の構成によれば、中間面部と前面保持面部とのなす角が直角以下であるので、スタンドの重心が底面（中間面部）に対してより前方に位置するので、スタンドは、上述の第１切り抜き板による支持がなくても、自立することができる。
【００２１】
前記梱包緩衝材は、前記本体保持面部に隣接して設けられ、前記中間面部と同じ形状、かつ同じ大きさを有する第１面部と、前記前面保持面部に隣接して設けられ、前記中間面部と同じ形状、かつ同じ大きさを有する第２面部とをさらに備え、前記第１面部は、前記本体保持面部との境界部分で折り曲げ可能となるように形成され、前記第２面部は、前記前面保持面部との境界部分で折り曲げ可能となるように形成され、第１面部および第２面部のいずれか一方に持ち手が設けられ、他方に前記持ち手を通す開口部が設けられていてもよい。
【００２２】
上記の構成によれば、持ち手を有する第１面部または第２面部によって、梱包緩衝材によって梱包されたコンピュータ機器を持ち運ぶことができるようになる。具体的には、本体保持面部の保持部にコンピュータ機器の本体部を嵌め込んだ状態で、前面保持面部がコンピュータ機器の前面部を保持するように、本体保持面部と中間面部との境界部分を折り曲げ、前面保持面部と中間面部との境界部分を折り曲げる。さらに、第１面部および第２面部の一方のうち持ち手を有する方を先に中間面部と対向するように折り曲げ、その後に他方を中間面部と対向するように折り曲げ、持ち手を開口部に通す。これにより、コンピュータ機器を、本体部と、前面部と、本体部と前面部との間の外周部分（上面および下面または両側面）とを囲むように梱包するので、第１面または第２面が有する持ち手により、梱包緩衝材ごとコンピュータ機器を持ち運ぶことができる。したがって、コンピュータ機器の携行性を向上させることができる。
【発明の効果】
【００２３】
本発明は、取り扱いが容易であり、配線が接続されている状態のコンピュータ機器を設置できるスタンドとして組み立てることが可能な梱包緩衝材を実現することができるという効果を奏する。
【図面の簡単な説明】
【００２４】
【図１】表示器を梱包緩衝材により梱包するときの手順を示す図であって、（ａ）は梱包緩衝材に表示器を配置する状態を示す斜視図であり、（ｂ）は表示器を挟んだ状態で折りたたまれた梱包緩衝材を外装箱に入れる状態を示す斜視図である。
【図２】本発明の実施の形態１に係る梱包緩衝材の内面を展開した状態を示す平面図である。
【図３】（ａ）は上記梱包緩衝材を収納する外装箱の全ての蓋を閉じた状態を示す斜視図であり、（ｂ）は上記外装箱の全ての蓋を開いた状態を示す斜視図であり、（ｃ）は上記外装箱の外蓋を開いた状態を示す斜視図である。
【図４】（ａ）および（ｂ）は開梱後の梱包緩衝材をスタンドとして組み立てる手順を示す斜視図である。
【図５】（ａ）〜（ｃ）は上記梱包緩衝材からスタンドを組み立てるときの上記梱包緩衝材における本体保持面部および前面保持面部の状態の変化を示す斜視図である。
【図６】上記梱包緩衝材から組み立てて得られたスタンドを示す斜視図である。
【図７】上記スタンドの他の斜視図である。
【図８】（ａ）は上記スタンドの側面図であり、（ｂ）は上記スタンドの（ａ）とは反対側の側面図である。
【図９】スタンドに表示器を設置した状態を示す斜視図である。
【発明を実施するための形態】
【００２５】
本発明の一実施の形態について図１〜図９に基づいて説明すれば、以下のとおりである。
【００２６】
図１は、表示器１００を梱包緩衝材１０により梱包するときの手順を示す図であって、（ａ）は梱包緩衝材１０に表示器を配置する状態を示す斜視図であり、（ｂ）は表示器１００を挟んだ状態で折りたたまれた梱包緩衝材１０を外装箱に入れる状態を示す斜視図である。図２は、梱包緩衝材１０の内面を展開した状態を示す平面図である。
【００２７】
図１の（ａ）および（ｂ）ならびに図２に示すように、本実施の形態の梱包緩衝材１０は、表示器１００を保護するために表示器１００と共に外装箱２００に梱包されるものであり、略矩形の平面状の外形を有している。また、梱包緩衝材１０は表示器１００の側方を開放した状態で囲むように梱包する単一の緩衝材である。梱包緩衝材１０の梱包方法については、後述する。
【００２８】
図１の（ａ）に示すように、表示器１００は、前面側に設けられた前面部１０１と、背面側に設けられた本体部１０２とを備えている。表示器１００は、パネルに嵌め込まれた状態で設置されるコンピュータ機器である。
【００２９】
前面部１０１は、表示面１０１ａと、フランジ部１０１ｂとを有している。表示面１０１ａは、画像を表示するために設けられており、液晶パネルや有機ＥＬパネルなどの平板型の表示パネルによって構成されている。表示面１０１ａには、図示はしないが、タッチ入力のためのタッチパネルが設けられている。パネルコンピュータやプログラマブル表示器などの表示面から入力操作を行うタイプの表示器１００には、タッチパネルが入力デバイスとして好適に用いられる。
【００３０】
フランジ部１０１ｂは、表示器１００をパネルに取り付けるために設けられた額縁部である。このフランジ部１０１ｂは、表示面１０１ａが設けられている表示器１００の前面側の外周部分に、本体部１０２の外周壁部から一定の幅で突出するように形成されている。
【００３１】
本体部１０２は、前面部１０１の背後に設けられている。本体部１０２は、表示器１００を駆動するための制御回路、外部機器とのインターフェース、内部回路に電力を供給するための電源装置などと、これらを収納する筐体とを含んでいる。
【００３２】
図２に示すように、梱包緩衝材１０は、上面部１（第１面部）と、本体保持面部２と、底面部３（中間面部）と、前面保持面部４と、カバー面部５（第２面部）とを有している。梱包緩衝材１０には、その幅方向に沿って４つの折り曲げ部６〜９が設けられている。梱包緩衝材１０における、上面部１、本体保持面部２、底面部３、前面保持面部４およびカバー面部５は、一端側からこの順に連続するように形成されており、４つの折り曲げ部６〜９によって区切られている。上面部１、本体保持面部２、底面部３、前面保持面部４およびカバー面部５は、隣接するもの同士の境界部分に設けられた折り曲げ部６〜９によって折り曲げ可能となる。
【００３３】
なお、以下の説明では、表示器１００を梱包した状態で内側となる梱包緩衝材１０の面を内面と称し、表示器１００を梱包した状態で外側となる梱包緩衝材１０の面を外面と称する。
【００３４】
梱包緩衝材１０を構成する材料としては、表示器が梱包された状態で外部から加えられた衝撃を弱めて表示器を保護する作用（緩衝作用）を有し、後述するスタンドに組み立てられたときに表示器を安定して保持することができるような材料であればよい。例えば、梱包緩衝材１０を構成する材料としては、安価であり、加工性に優れ、また、容易にリサイクルあるいは焼却処分することができる点で、段ボールが特に好ましい。また、第１保持部２１〜２４および第２保持部４１〜４４を構成する材料としては、段ボールを用いるが、他に発泡材などを用いてもよい。
【００３５】
上面部１は、梱包状態で上面となる部分であり、後述する底面部３と同じ形状、かつ同じ大きさを有している。上面部１には、間隔をおいて穴１ａ、穴１ｂが設けられている。穴１ａ、穴１ｂには、外面側に設けられた持ち手１１の両端が内面側に通されている。また、上面部１の内面側には、穴１ａ、穴１ｂから抜け出ないように、持ち手１１に掛かる荷重を支える樹脂製の補強部材１２が、持ち手１１の種類や表示器１００の重量に応じて必要である場合に設けられている。補強部材１２には、穴１ａ、穴１ｂにそれぞれに合致する２つの穴（図示せず）が設けられている。持ち手１１の一端に設けられた係止部１１ａが補強部材１２における一方の穴の周辺に係止され、持ち手１１の他端に設けられた係止部１１ｂが補強部材１２における他方の穴の周辺に係止される。このようにして、持ち手１１が上面部１に取り付けられている。持ち手１１は、表示器１００を梱包した状態の梱包緩衝材１０を収納した外装箱２００を持ち運ぶときの持ち手となる。さらに、上面部１には、短辺側の両端縁に、切り抜き片１ｃ、１ｄが設けられている。
【００３６】
なお、補強部材１２は、使用する持ち手１１の種類や表示器１００の重量によっては不要となる場合があり、この場合は省略することができる。
【００３７】
本体保持面部２は、表示器１００の本体部１０２を保持する部分であり、矩形状の平板部２０と、第１保持部２１〜２４（保持部）とを有している。第１保持部２１〜２４は、平坦な板状に形成された平板部２０の内面（第１保持面）に設けられている。第１保持部２１〜２４は、表示器１００が梱包された状態で外部から加えられた衝撃を弱めて表示器１００を保護する。また、第１保持部２１〜２４は、表示器１００を立てた状態で保持するスタンドとして梱包緩衝材１０を用いるとき、表示器１００の本体部１０２を嵌め込んで保持する。
【００３８】
第１保持部２１〜２４は、表示器１００の本体部１０２における後端部の四隅を保持するように、それぞれ平板部２０の内面の四隅（図２における左上、右上、左下および右下）に配置されている。第１保持部２１〜２４は、本体保持面部２の内面に接着剤などによって固定されている。また、第１保持部２１〜２４は、本体部１０２の一部を前記本体保持面部２の端縁に開放するように設けられている。
【００３９】
第１保持部２１〜２４は、それぞれ凹部２１ａ〜２４ａを有している。また、凹部２１ａ〜２４ａは、それぞれ本体保持面部２の中心に向かう側に設けられている。また、凹部２１ａ〜２４ａは、それぞれ、第１保持部２１〜２４の高さ方向の中間位置に底部を有している。このような凹部２１ａ〜２４ａの構造により、第１保持部２１〜２４に嵌め込まれた表示器１００の本体部１０２が本体保持面部２（平板部２０）の内面に接触しないようにすることができる。これにより、表示器１００と平板部２０の内面との間に隙間が形成されるので、梱包緩衝材１０の外部からの衝撃が、梱包緩衝材１０の中に収納されている表示器１００に直接伝わることを防ぐことができる。
【００４０】
また、第１保持部２１〜２４はそれぞれ離間しているため、梱包緩衝材１０をスタンドとして用いたとき、表示器１００の裏面に接続されている配線を、表示器１００と本体保持面部２の底面との間の隙間に通すことができる。よって、表示器に配線を接続させたまま、本体保持面部２に表示器１００を嵌め込むことができる。
【００４１】
凹部２１ａ〜２４ａ（第１保持部２１〜２４の除かれた部分）は、本体部１０２における後端部の四隅に沿う形状となるように、隣接するもの同士が互いに垂直となる３つの矩形面によって形成されている。
【００４２】
また、本体保持面部２における中央部分の正方形の領域には、保持板２５（第１切り抜き板）と、支持板２６（第１切り抜き板）とが設けられている。保持板２５は、後述するように梱包緩衝材１０がスタンドとして組み立てられる状態で前面保持面部４を保持する部分である。支持板２６は、梱包緩衝材１０がスタンドとして組み立てられる状態で本体保持面部２および前面保持面部４が自立するように支持する部分である。保持板２５および支持板２６が設けられる領域は、正方形に限らず長方形であってもよい。
【００４３】
保持板２５は、平板部２０から折り曲げ可能に切り抜かれた部分であり、第１辺２５ａ〜第３辺２５ｃからなる三角形をなしている。第１辺２５ａは、本体保持面部２における第１保持部２１、２２が配置された側縁と平行な辺である。第２辺２５ｂは、本体保持面部２における第１保持部２２、２４が配置された側縁と平行な辺である。第３辺２５ｃは、支持板２６と接する辺である。また、保持板２５は、第１辺２５ｂに沿って本体保持面部２の外面側に折り曲げ可能に形成されている。
【００４４】
支持板２６は、平板部２０から折り曲げ可能に切り抜かれた部分であり、第１辺２６ａ〜第５辺２６ｅからなる五角形をなしている。第１辺２６ａは、本体保持面部２における第１保持部２１、２３が配置された側縁と平行な辺である。第２辺２６ｂは、本体保持面部２における第１保持部２３、２４が配置された側縁と平行な辺である。第３辺２６ｃは、保持板２５の第１辺２５ａの延長線上にある辺である。第４辺２６ｄは、保持板２５（第３辺２５ｃ）と接する辺である。第５辺２６ｅは、第２辺２６ｂと第４辺２６ｄとの間の辺であり、第５辺２６ｅと第２辺２６ｂとのなす角は鈍角である。また、支持板２６は、第１辺２６ａに沿って本体保持面部２の外面側に折り曲げ可能に形成されている。
【００４５】
保持板２５は折り曲げ片２５ｄを有し、支持板２６は折り曲げ片２６ｆを有する。折り曲げ片２５ｄは、折り曲げ可能となるように、保持板２５からコの字型に切り抜かれた部分である。折り曲げ片２６ｆは、折り曲げ可能となるように、支持板２６からコの字型に切り抜かれた部分である。折り曲げ片２５ｄ、２６ｆは、梱包緩衝材１０をスタンドとして組み立てた状態で、後述する前面保持面部４における穴４７、４８にそれぞれ嵌め込むことができる方向に折り曲げ可能となるように形成されている。
【００４６】
底面部３は、梱包緩衝材１０をスタンドとして組み立てたとき、スタンドの底面となる部分であり、矩形状に形成されている。底面部３の短辺側の幅は、少なくとも、表示面１０１ａの厚さと、第１保持部２１〜２４の高さと、第２保持部４１〜４４の高さとの合計の長さに設定される。
【００４７】
前面保持面部４は、表示器１００の表示面側を保持する部分であり、矩形状の平板部４０と、第２保持部４１〜４４とを有している。第２保持部４１〜４４は、平坦な板状に形成された平板部４０の内面（第２保持面）に設けられている。第２保持部４１〜４４は、表示器１００が梱包された状態で外部から加えられた衝撃を弱めて表示器１００を保護する。第２保持部４１〜４４は、表示器１００における前面部１０１に当接するように、それぞれ平板部４０の四隅（図２における左下、右下、左上および右上）に配置されている。第２保持部４１、４２は、所定の厚みを有するＬ字型の形状に形成され、第２保持部４３、４４は、直方体に形成されている。第２保持部４１〜４４は、前面保持面部４の内面に接着剤などによって固定されている。第２保持部４１〜４４を設けることにより、表示器１００を梱包緩衝材１０で梱包したとき、表示器１００と前面保持面部４の平板部４０との間には隙間が形成される。よって、表示器１００および梱包緩衝材１０を外装箱２００に収納したとき、外装箱２００の外部からの衝撃が、梱包緩衝材１０の中に収納されている表示器１００に直接伝わることを防ぐことができる。
【００４８】
また、前面保持面部４において底面部３との境界（第２保持部４３、４４の対向する端面の間）から前面保持面部４の中央部にかけて広がる正方形の領域には、第１間隔板４５（第２切り抜き板）と、第２間隔板４６（第２切り抜き板）とが設けられている。第１間隔板４５および第２間隔板４６は、後述するように梱包緩衝材１０がスタンドとして組み立てられる状態で、前面保持面部４に対する本体保持面部２の所定の間隔を確保する部分である。第１間隔板４５および第２間隔板４６が設けられる領域は、正方形に限らず長方形であってもよい。
【００４９】
第１間隔板４５は、平板部４０から折り曲げ可能に切り抜かれた部分であり、第１辺４５ａ〜第４辺４５ｄからなる台形をなしている。第１辺４５ａは、底面部３と前面保持面部４との境界線上にある辺である。第２辺４５ｂは、第１辺４５ａと平行な辺であり、第１辺４５ａより長い。第３辺４５ｃは、第１辺４５ａと第２辺４５ｂとの間の辺であり、第２保持部４３と対向する第２保持部４４の端面に沿っている。第４辺４５ｄは、第１辺４５ａと第２辺４５ｂとの間の辺であり、第３辺４５ｃに対して傾斜している。また、第１間隔板４５は、第３辺４５ｃに沿って前面保持面部４の外面側に折り曲げ可能に形成されている。
【００５０】
また、第１間隔板４５は、第４辺４５ｄと同じ長さを有する折り曲げ部４５ｅを有している。第４辺４５ｄと、折り曲げ部４５ｅと、第２辺４５ｂの一部とで二等辺三角形が形成される。第１間隔板４５は、折り曲げ部４５ｅによって、上記の二等辺三角形を形成する部分が、残りの台形を形成する部分に対して折り曲げ可能となる。
【００５１】
第２間隔板４６は、平板部４０から折り曲げ可能に切り抜かれた部分であり、第１辺４６ａ〜第４辺４６ｄからなる台形をなしている。第１辺４６ａは、底面部３と前面保持面部４との境界線上にある辺である。第２辺４６ｂは、第１辺４６ａと平行な辺であり、第１間隔板４５の第２辺４５ｂの延長線上にあり、かつ第１辺４６ａより短い。第３辺４６ｃは、第１辺４６ａと第２辺４６ｂとの間の辺であり、第１間隔板４５の第３辺４５ｃと平行であり、かつ第２保持部４４と対向する第２保持部４３の端面に沿っている。第４辺４６ｄは、第１辺４６ａと第２辺４６ｂとの間の辺であり、第１間隔板４５の第４辺４５ｄと重なり、かつ第３辺４６ｃに対して傾斜している。また、第２間隔板４６は、第３辺４６ｃに沿って前面保持面部４の外面側に折り曲げ可能に形成されている。
【００５２】
前面保持面部４には、第２保持部４２、４４の間で第１間隔板４５の第３辺４５ｃに沿うように穴４７が設けられている。穴４７は、梱包緩衝材１０をスタンドとして組み立てた状態で、上述の本体保持面部２の折り曲げ片２５ｄが嵌まり込む位置に形成されている接続構造である。また、前面保持面部４には、第２保持部４３に隣接し、かつ第２間隔板４６の第３辺４６ｃに沿うように穴４８が設けられている。穴４８は、梱包緩衝材１０をスタンドとして組み立てた状態で、本体保持面部２の折り曲げ片２６ｆが嵌まり込む位置に形成されている接続構造である。
【００５３】
カバー面部５は、上面部１の上面に重ねられる部分であり、底面部３と同じ形状、かつ同じ大きさを有すると共に、中央に開口部５ａを有している。開口部５ａは、梱包緩衝材１０および表示器１００を外装箱２００に収納した状態において、上面部１に設けられている持ち手１１が通る位置に形成されている。また、カバー面部５には、短辺側の両端縁に、切り抜き片５ｂ、５ｃが設けられ、開口部５ａの両側方に、２つの切り抜き片５ｄ、５ｅが設けられている。
【００５４】
続いて、外装箱２００について説明する。
【００５５】
図３の（ａ）は上記梱包緩衝材を収納する外装箱の全ての蓋を閉じた状態を示す斜視図であり、図３の（ｂ）は上記外装箱の全ての蓋を開いた状態を示す斜視図であり、図３の（ｃ）は上記外装箱の外蓋を開いた状態を示す斜視図である。
【００５６】
図３の（ａ）〜（ｃ）に示すように、外装箱２００は、箱体２０１と、内蓋２０２と、外蓋２０３と、脇蓋２０４、２０５とを有している。
【００５７】
箱体２０１は、梱包緩衝材１０を収納する本体部分であり、上部が梱包緩衝材１０の出し入れを可能にするように開口している。内蓋２０２は、箱体２０１の一方の長辺側の上端縁に設けられており、中央に持ち手１１を通すための開口部２０２ａを有している。外蓋２０３は、箱体２０１の他方の長辺側の上端縁に設けられており、中央に持ち手１１を通すための開口部２０３ａを有している。外蓋２０３は、内蓋２０２の上側に重なるように閉じられる。脇蓋２０４、２０５は、それぞれ箱体２０１の短辺側の上端縁に設けられており、内蓋２０２の下側に重なるように閉じられる。
【００５８】
箱体２０１の内蓋２０２と繋がる面には、箱体２０１と内蓋２０２とを切り抜いて形成された切り抜き片２０１ａが設けられている。また、内蓋２０２には、切り抜き片２０１ａを切り抜いた穴を間において、内蓋２０２と箱体２０１との境界線に沿うように、内蓋スリット２０２ｂが設けられている。
【００５９】
外蓋２０３の長辺側の端縁には、外蓋２０３を閉じた状態で内蓋スリット２０２ｂと合致する位置に突出片２０３ｂが設けられている。突出片２０３ｂは、内蓋スリット２０２ｂに挿入されるように、内蓋スリット２０２ｂの長さよりも狭い幅に形成されている。また、突出片２０３ｂは、外蓋２０３を閉じた状態で切り抜き片２０１ａの先端部を挿入するための外蓋スリット２０３ｃを有している。
【００６０】
外蓋２０３の突出片２０３ｂを内蓋２０２の内蓋スリット２０２ｂに挿入すると共に、箱体２０１の切り抜き片２０１ａを外蓋２０３の外蓋スリット２０３ｃに挿入することにより、外蓋２０３が箱体２０１に強固に保持される。
【００６１】
なお、外装箱２００は、上記のような外蓋２０３の保持構造を有していなくてもよい。これは、持ち手１１が外装箱２００ではなく梱包緩衝材１０に取り付けられているために、外装箱２００に荷重が掛からないからである。
【００６２】
続いて、上記のように構成される梱包緩衝材１０を用いた表示器１００の梱包の手順について説明する。
【００６３】
図１の（ａ）に示すように、表示器１００の本体部１０２を梱包緩衝材１０の第１保持部２１〜２４に嵌め込んだ状態で、梱包緩衝材１０を折り曲げ部７および折り曲げ部８で内面側に折り曲げ、前面保持面部４の第２保持部４１〜４４が表示器１００の前面部１０１に当接するように梱包緩衝材１０を折り畳む。次に、図１の（ｂ）に示すように、上面部１、カバー面部５の順に梱包緩衝材１０を折り畳み、梱包緩衝材１０で表示器１００の周囲を囲むようにする。このとき、カバー面部５の開口部５ａに上面部１の持ち手１１を通しておく。そして、表示器１００を囲んだ状態の梱包緩衝材１０を外装箱２００の中に収納する。また、図３の（ａ）に示すように、持ち手１１が外装箱２００から突出するように外蓋２０３を閉じる。これにより、梱包された表示器１００を持ち運ぶことができる。
【００６４】
開梱時には、持ち手１１を持ったまま梱包緩衝材１０を表示器１００ごと外装箱２００から引き出して、上記の梱包時とは逆の手順で梱包緩衝材１０を開く。
【００６５】
このように、単一の梱包緩衝材１０は、表示器１００を囲むように折り畳み可能に構成されている。これにより、従来のように複数の梱包緩衝材を使用する場合と比べて、表示器１００の梱包および開梱の作業を容易にすることができるだけでなく、梱包緩衝材１０を処分する際の取り扱いも容易にすることができる。また、梱包緩衝材１０が持ち手１１を有することにより、外装箱２００に対する表示器１００の出し入れを、持ち手１１によって容易にすることができる。それゆえ、表示器１００の梱包および開梱の作業をより容易にすることができる。また、持ち手１１を持つことで、梱包緩衝材１０ごと表示器１００を持ち運ぶことができる。それゆえ、例えば、後述する表示器１００に対するソフトウェアのインストール作業を行う際に、外装箱２００から梱包緩衝材１０を取り出した後に、インストール作業を行う場所まで表示器１００を持ち運ぶことができる。したがって、表示器１００の携行性を向上させることができる。
【００６６】
梱包緩衝材１０は、表示器１００を立てた状態で保持するスタンドとして利用することができる。ここで、梱包緩衝材１０からスタンドを組み立てる手順について説明する。図４の（ａ）および（ｂ）は、開梱後の梱包緩衝材１０を、スタンドとして組み立てる手順を示す斜視図である。図５の（ａ）〜（ｃ）は、梱包緩衝材１０からスタンドを組み立てるときの梱包緩衝材１０における本体保持面部２および前面保持面部４の状態の変化を示す斜視図である。図６は、梱包緩衝材１０から組み立てて得られたスタンドを示す斜視図である。
【００６７】
図４の（ａ）に示すように、梱包緩衝材１０を開いた状態で、梱包緩衝材１０から表示器１００を外す。次に、梱包時とは逆に、梱包緩衝材１０を折り曲げ部７および折り曲げ部８で外面側に折り曲げ、梱包緩衝材１０を本体保持面部２および前面保持面部４の外面側が向き合うように（内面側が離反するように）折り畳む。このとき、底面部３を机などに置いた状態で、底面部３の長辺側の両端縁から立ち上がるように、本体保持面部２および前面保持面部４を向き合わせて、本体保持面部２の端縁が前面保持面部４における外面に接触した状態で、さらに上面部１およびカバー面部５をそれぞれの外面側で接触するように重ね合わせる。
【００６８】
次に、図５の（ａ）に示すように前面保持面部４において閉じた状態の第１間隔板４５を、図５の（ｂ）に示すように、折り曲げ部４５ｅで本体保持面部２側に折り曲げ、さらに第３辺４５ｃで本体保持面部２側に折り曲げる。これにより、第１間隔板４５の折り曲げ部４５ｅから先端部に至る部分を、本体保持面部２の外面側に入れ込む。また、図５の（ａ）に示すように前面保持面部４において閉じた状態の第２間隔板４６を、図５の（ｂ）に示すように、第３辺４６ｃで本体保持面部２側に折り曲げる。このような折り曲げにより、第１間隔板４５および第２間隔板４６は、本体保持面部２と前面保持面部４との間の間隔を規定する壁面を形成する。
【００６９】
次に、図５の（ｃ）に示すように本体保持面部２の保持板２５および支持板２６を前面保持面部４側に折り曲げ、保持板２５の折り曲げ片２５ｄを前面保持面部４の穴４７に嵌め込み、支持板２６の折り曲げ片２６ｆを前面保持面部４の穴４８に嵌め込む。これにより、本体保持面部２が、第１間隔板４５および第２間隔板４６で規定される間隔をおいて前面保持面部４に保持される。支持板２６は、第２保持部４３、４４から後方に突出するように前面保持面部４を貫通し、かつ底面部３と前面保持面部４との境界から前面保持面部４の内面側に突出している。これにより、支持板２６の第５辺２６ｅは、底面部３と共にスタンド１０Ａが設置される面（机など）に接する部分を形成する。
【００７０】
そして、図６に示すように、上面部１の切り抜き片１ｃとカバー面部５の切り抜き片５ｂ（図示省略）とを合わせ、上面部１の切り抜き片１ｄとカバー面部５の切り抜き片５ｃとを合わせた状態で、本体保持面部２または前面保持面部４の側に折り込む。また、カバー面部５の切り抜き５ｄ、５ｅを上面部１の長辺側の端縁に係止する。これにより、上面部１がカバー面部５に保持される。
【００７１】
さらに、図４の（ｂ）に示すように、本体部１０２を本体保持面部２の第１保持部２１〜２４に嵌め込んで、表示器１００をスタンド１０Ａに装着する。
【００７２】
第１保持部２３と第１保持部２４とは間隔をおいて配置されている。表示器１００に接続されている配線を第１保持部２３と第１保持部２４との間に配置することができる。これにより、表示器１００に配線を接続したまま、スタンド１０Ａに表示器１００を装着することができる。
【００７３】
引き続き、上記のように組み立てられたスタンド１０Ａの構造について説明する。図７は、スタンド１０Ａの他の斜視図である。図８の（ａ）はスタンド１０Ａの側面図であり、図８の（ｂ）はスタンド１０Ａの図８の（ａ）とは反対側の側面図である。図９は、スタンド１０Ａに表示器１００を設置した状態を示す斜視図である。
【００７４】
図６および図７に示すように、スタンド１０Ａにおいて、前面となる本体保持面部２は斜め上を向いており、底面部３が机などに接する底面を形成し、スタンド１０Ａの裏面となる前面保持面部４が裏面斜め下に向いており、上面部１およびカバー面部５は外面側で互いに接触している状態となる。また、図８の（ａ）および（ｂ）に示すように、スタンド１０Ａは、側方から見た状態では、本体保持面部２と、底面部３と、前面保持面部４とで三角形を形成している。この三角形において、本体保持面部２と底面部３とのなす角は鋭角であり、底面部３と前面保持面部４とのなす角は鈍角である。このように、本体保持面部２および前面保持面部４が裏面側に傾くことにより、スタンド１０Ａの重心は裏面側の上寄りに位置している。
【００７５】
ここで、支持板２６は、スタンド１０Ａの裏面側で本体保持面部２および前面保持面部４の荷重を支えている。一方、第２保持部４３、４４（突出部）は、前面保持面部４において、底面部３との境界部分に沿う位置に平板部４０から突出するように設けられており、底面部３と共にスタンド１０Ａの設置面に接触する。このため、第２保持部４３、４４は、スタンド１０Ａの裏面側で本体保持面部２および前面保持面部４の荷重を支える役割を果たす。しかしながら、第２保持部４３、４４は、スタンド１０Ａの設置面からの高さが低いため、スタンド１０Ａの上部の荷重を支えるほど十分な支持力を有していない。これに対し、支持板２６は、本体保持面部２において第２保持部４３、４４よりも高い位置にある部位から斜め下方に伸びるように形成されているので、スタンド１０Ａの上部の荷重を十分支えることができる。
【００７６】
これにより、スタンド１０Ａは、裏面側に倒れることなく、安定して自立することができる。
【００７７】
また、本体保持面部２が、保持板２５および支持板２６と、第１間隔板４５および第２間隔板４６とによって前面保持面部４に保持されることにより、スタンド１０Ａの強度が高まる。
【００７８】
図９に示すように、スタンド１０Ａにおいて、本体保持面部２が斜め上方を向いている。これにより、表示器１００の本体部１０２を本体保持面部２の第１保持部２１〜２４に嵌め込むだけで、表示器１００を外れないように装着することができる。また、机上にスタンド１０Ａを設置してインストール作業を行う場合、表示面１０１ａが見やすく、かつ表示面１０１ａ上でのタッチパネルへの操作が容易になる。また、上述のように本体保持面部２の第１保持部２３、２４の間に配線が配置されるので、インストール作業が終われば、配線を接続したままで、表示器１００をスタンド１０Ａから取り外すことができる。
【００７９】
なお、底面部３と前面保持面部４とのなす角が鈍角の場合は、スタンド１０Ａの重心が底面部３に対して背面寄りに位置する。これに対し、底面部３と前面保持面部４とのなす角が直角以下であるので、スタンド１０Ａの重心が底面部３に対してより前方に位置するので、スタンド１０Ａは、支持板２６がなくても自立することができる。ただし、スタンド１０Ａでは、本体保持面部２および前面保持面部４のそれぞれの短辺方向の幅に対する底面部３の短辺方向の幅の比率が小さいほど、表示器１００の荷重を安定して支えることが難しい。このため、短辺方向の幅の狭い底面部３を有するスタンド１０Ａでは、上記比率が小さいので、支持板２６を利用することが好ましい。また、短辺方向の幅の広い底面部３を有するスタンド１０Ａでは、上記比率が大きいので、支持板２６がなくても表示器１００の荷重を安定して支えることが容易である。
【００８０】
なお、本実施形態では、本体保持面部２の第１保持部２１〜２４が個別に設けられているが、第１保持部２１〜２４に代えて、本体保持面部２（平板部２０）の両端縁に沿った２つの第１保持部が設けられてもよい。これにより、本体保持面部２の強度を高めることができる。また、第１保持部２１〜２４における本体保持面部２の両端縁に沿った長さを長くすることでも、本体保持面部２の強度を高めることができる。このように、本体保持面部２の強度を高めることにより、安定して表示器１００を支持することができる。
【００８１】
また、本実施形態では、本体保持面部２には、４つの第１保持部２１〜２４が設けられているが、表示器１００の本体部１０２を保持でき、かつ隣接する２つの第１保持部同士の間隔が本体部１０２に接続された配線を配置できる十分な大きさに確保できれば、５つ以上の第１保持部が設けられていてもよい。例えば、第１保持部２１、２２の間、第１保持部２２、２４の間、第１保持部２３、２４の間、第１保持部２１、２３の間に、それぞれ別の第１保持部が設けられていてもよい。
【００８２】
また、本実施形態では、保持板２５の折り曲げ片２５ｄを前面保持面部４の穴４７に嵌め込み、支持板２６の折り曲げ片２６ｆを前面保持面部４の穴４８に嵌め込むことにより本体保持面部２が、前面保持面部４に保持される構造を採用している。あるいは、これに代えて、またはこれに加えて、前面保持面部４の第１間隔板４５および第２間隔板４６にそれぞれ設けた折り曲げ片を、本体保持面部２に設けられた穴に嵌め込むことにより、本体保持面部２と前面保持面部４との間で相互に保持構造を形成することができる。これにより、スタンド１０Ａの強度をより高めることができる。
【００８３】
また、本実施形態では、持ち手１１を上面部１に設けているが、これに代えて、持ち手１１をカバー面部５に設け、上面部１に持ち手１１を通す開口部を設けてもよい。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８５】
１  上面部（第１面部）
２  本体保持面部
３  底面部（中間面部）
４  前面保持面部
５  カバー面部（第２面部）
５ａ  開口部
６〜９  折り曲げ部
１０  梱包緩衝材
１０Ａ  スタンド
１１  持ち手
２１〜２４  第１保持部（保持部）
２５  保持板（第１切り抜き板）
２５ｄ、２６ｆ  折り曲げ片
２６  支持板（第１切り抜き板）
４１、４２  第２保持部
４３、４４  第２保持部（突出部）
４５  第１間隔板（第２切り抜き板）
４５ｅ  折り曲げ部
４６  第２間隔板（第２切り抜き板）
４７、４８  穴
１００  表示器
１０１  前面部
１０１ａ  表示面
１０１ｂ  フランジ部
１０２  本体部
【図１】
2018008732.tif 000003
【図２】
2018008732.tif 000004
【図３】
2018008732.tif 000005
【図４】
2018008732.tif 000006
【図５】
2018008732.tif 000007
【図６】
2018008732.tif 000008
【図７】
2018008732.tif 000009
【図８】
2018008732.tif 000010
【図９】
2018008732.tif 000011